(57)【特許請求の範囲】
【請求項１】
複数の曲げ部が連続形成された緩い蛇行形状の曲げ管部位と、上記曲げ部における曲げ管部位のどちらか一端側又は両端側のものの接線方向方向に連続形成された直管部位とを有する曲げパイプをプレス成形するための金型であって、
対向配置された固定型及び可動型を有し、これらの波形状の対向面における、上記直管部位に連続する曲げ部を形成する凸曲面部に、接線方向に長い傾斜面部を連続形成して、この固定型及び／又は可動型の長い傾斜面部が形成された側の側端部を、対向する固定型及び／又は可動型の側端部より突出させ、上記直管部位に連続する曲げ部を形成する凹曲面部を有する固定型及び／又は可動型に、前記長い傾斜面部の対向位置に配設した、型締め時に上記直管部位を押圧可能な押圧体と、該押圧体を対向する固定型又は可動型に対する相対移動方向へ進退させる手段とを設けたことを特徴とするパイプ深曲げの同時成形金型。
【請求項２】
押圧体の進退手段は、押圧体を設けた固定型及び／又は可動型に軸着した揺動板を有し、該揺動板は前記可動型の進退に応じて往復揺動し、この揺動板の可動型の側端部より突出状態の先端部に押圧体を固設したことを特徴とする請求項１記載のパイプ深曲げの同時成形金型。
【請求項３】
揺動板の基端部に、対向する固定型及び／又は可動型側へ突出する操作板を一体形成し、該操作板の先端面を、対向する固定型及び／又は可動型に設けたストッパへの当接部としたことを特徴とする請求項２記載のパイプ深曲げの同時成形金型。
【請求項４】
固定型の対向面を、セットされるパイプ基材が複数箇所で当接可能に形成し、可動型の対向面を、固定型にセット状態のパイプ基材に複数箇所が同時に当接可能に形成したことを特徴とする請求項１、２又は３記載のパイプ深曲げの同時成形金型。
【発明の詳細な説明】
【技術分野】
【０００１】
本発明は、直管であるパイプ基材を、一回のプレス成形で２次元形状に曲げられる様にしたパイプ深曲げの同時成形金型に関する。
【背景技術】
【０００２】
従来、直管であるパイプ基材をプレス成形により曲げ加工するには、多段階に分けて曲げ加工を行えば確実に可能であり、例えば本願出願人は、複数個の金型を並列設置した１台のサーボプレス機の前方に、パイプを金型にセットする１台の多関節式ロボットアームを配設し、サーボプレス機のプレス速度を遅くすると共に下死点で所定時間停止する様に制御することによって、加工後のパイプの姿勢を維持可能にし、且つスプリングバック現象の影響を最小限に抑えることが出来る様にした自動曲げ加工装置を開発した（例えば、特許文献１参照）。
【先行技術文献】
【特許文献】
【０００３】
【特許文献１】特開２００６−１３６８９０号公報
【発明の概要】
【発明が解決しようとする課題】
【０００４】
しかし、上記従来技術にあっては、パイプ基材を３次元形状に段階的に随時変形させて、複雑な形態に加工することを主目的として開発されたものであることから、例えば図３、５、７に示す緩い蛇行形状の様な単純な２次元形状に曲げ加工することは可能であるが、高機能過ぎて使用しないのが実情で、実際には、手作業で複数の金型に順次セットして曲げ加工しているため、甚だ効率が悪いなど、解決せねばならない課題があった。
【課題を解決するための手段】
【０００５】
本発明は、上記従来技術に基づく、機械でも手作業でも多工程を要してしまう課題に鑑み、対向配置された固定型及び可動型の波形状の対向面における、上記直管部位に連続する曲げ部を形成する凸曲面部に、接線方向に長い傾斜面部を連続形成して、この固定型及び／又は可動型の長い傾斜面部が形成された側の側端部を、対向する固定型及び／又は可動型の側端部より突出させ、上記直管部位に連続する曲げ部を形成する凹曲面部を有する固定型及び／又は可動型に、前記長い傾斜面部の対向位置に配設した、型締め時に上記直管部位を押圧可能な押圧体と、該押圧体を対向する固定型又は可動型に対する相対移動方向へ進退させる手段とを設け、型締め段階では進行状態で突出する、曲げパイプにおける長い直管部位の押圧部位である押圧体を、待機状態では後退させておくことで、固定型及び可動型により所望形状に曲げ、押圧体により長い直管部位を確実に長い傾斜面部に押圧することによって、スプリングバックのない曲げパイプを一回のプレスで成形可能にして、上記課題を解決する。
【発明の効果】
【０００６】
要するに本発明は、対向配置された固定型及び可動型を有し、これらの波形状の対向面における、上記直管部位に連続する曲げ部を形成する凸曲面部に、接線方向に長い傾斜面部を連続形成して、この固定型及び／又は可動型の長い傾斜面部が形成された側の側端部を、対向する固定型及び／又は可動型の側端部より突出させているので、固定型及び可動型だけでもパイプ基材を所望形状に曲げ加工することが出来る。
又、前記直管部位に連続する曲げ部を形成する凹曲面部を有する固定型及び／又は可動型に、前記長い傾斜面部の対向位置に配設した、型締め時に上記直管部位を押圧可能な押圧体と、該押圧体を対向する固定型又は可動型に対する相対移動方向へ進退させる手段とを設けたので、固定型及び可動型では長い傾斜面部に長い直管部位を押圧出来ないが、当該部位の押圧体は、型開き時には後退状態で、曲げ加工が開始する、即ち押圧体を有する固定型及び／又は可動型の対向面がパイプ基材に当たる時でも押圧体はパイプ基材に当たらないため、固定型又は可動型により確実に曲げ加工することが出来る。
更に、押圧体は、型締め段階では進行状態で突出して、曲げパイプにおける長い直管部位を押圧するため、かかる金型によれば、一回のプレスでスプリングバックのない曲げパイプを成形することが出来る。
【０００７】
押圧体の進退手段は、押圧体を設けた固定型及び／又は可動型に軸着した揺動板を有し、該揺動板は前記可動型の進退に応じて往復揺動し、この揺動板の可動型の側端部より突出状態の先端部に押圧体を固設したので、簡単な機構で押圧体を進退させることが出来、而も押圧体は、それを設けた固定型及び／又は可動型に対し、待機時には離間且つ後退状態で、型締め時には近接且つ進行状態となる様に移動させることが出来るため、押圧体の下端部を鉤状に形成すれば、その突出部位を固定型及び／又は可動型と長い傾斜面部との間に入り込ませることが出来るため、長い直管部位を、それと連続する曲げ部に近い部位で押圧することが出来るため、より確実にスプリングバックのない曲げパイプに成形することが出来る。
【０００８】
揺動板の基端部に、対向する固定型及び／又は可動型側へ突出する操作板を一体形成し、該操作板の先端面を、対向する固定型及び／又は可動型に設けたストッパへの当接部としたので、簡易な構造で可動型のプレス圧をそのまま押圧体に作用させることが出来るため、他動力を設けずに確実に成形することが出来る。
【０００９】
固定型の対向面を、セットされるパイプ基材が複数箇所で当接可能に形成したので、パイプ基材を安定姿勢で固定型にセットすることが出来、可動型の対向面を、固定型にセット状態のパイプ基材に複数箇所が同時に当接可能に形成したので、安定姿勢でセットされたパイプ基材を安定姿勢のまま曲げ加工を開始することが出来る等その実用的効果甚だ大である。
【図面の簡単な説明】
【００１０】
【図１（ａ）】本発明に係るパイプ深曲げの同時成形金型の実施例１にパイプ基材をセットした状態を示す正面図である。
【図１（ｂ）】本発明に係るパイプ深曲げの同時成形金型の実施例１の型締め状態を示す正面図である。
【図２】パイプ深曲げの同時成形金型の実施例１の正面要部拡大図である。
【図３】パイプ深曲げの同時成形金型の実施例１により成形される曲げパイプの正面図である。
【図４】本発明に係るパイプ深曲げの同時成形金型の実施例２にパイプ基材をセットした状態を示す正面図である。
【図５】図４の成形金型により成形される曲げパイプの正面図である。
【図６】本発明に係るパイプ深曲げの同時成形金型の実施例３にパイプ基材をセットした状態を示す正面図である。
【図７】図６の成形金型により成形される曲げパイプの正面図である。
【図８（ａ）】本発明に係るパイプ深曲げの同時成形金型の実施例４にパイプ基材をセットした状態を示す正面図である。
【図８（ｂ）】本発明に係るパイプ深曲げの同時成形金型の実施例４の型締め状態を示す正面図である。
【発明を実施するための形態】
【００１１】
本発明に係るパイプ深曲げの同時成形金型で成形される曲げパイプＰにあっては、基本的に、複数の曲げ部Ｒ１、Ｒ２…が連続形成された緩い蛇行形状の、言い換えれば波長の長い正弦波形状の曲げ管部位Ｐ１と、上記曲げ部Ｒ１、Ｒ２…における曲げ管部位Ｐ１のどちらか一端側又は両端側のものの接線方向方向に連続形成された長寸な直管部位Ｐ２とを有している。
【００１２】
そして、上記曲げパイプＰをプレス成形する金型にあっては、対向配置された固定型１及び可動型２を有し、該固定型１及び可動型２の対向面３、４は、型締め時に一定間隔の隙間を有する波形状に形成している。
【００１３】
固定型１の対向面３は一端側より凸曲面部５（、5a…）と凹曲面部６（、6a…）を交互に形成し、中央長手方向にパイプ溝７を形成している。
【００１４】
可動型２の対向面４一端側より上記凸曲面部５（、5a…）に対する凹曲面部８（、8a…）と、上記凹曲面部６（、6a…）に対する凸曲面部９（、9a…）を交互に形成し、中央長手方向にパイプ溝10を形成している。
【００１５】
又、対向面３、４における、曲げパイプＰにおける曲げ部Ｒ１、Ｒ２…のうちで長い直管部位Ｐ２に連続するものを形成するための凸曲面部５（、5a…）、９（、9a…）には、接線方向に長い傾斜面部11、12が連続形成されている。
【００１６】
又、可動型２の対向面４における固定型１の対向面３の長い傾斜面部11の対向位置及び固定型１の対向面３における可動型２の対向面４の長い傾斜面部12の対向位置に短い傾斜面部13、14が形成され、該短い傾斜面部13、14は、曲げパイプＰにおける曲げ部Ｒ１、Ｒ２…のうちで長い直管部位Ｐ２に連続するものを形成するための凹曲面部６（、6a…）、８（、8a…）の接線方向に連続形成されている。
【００１７】
固定型１又は可動型２のうち、曲げパイプＰにおける曲げ部Ｒ１、Ｒ２…のうちで長い直管部位Ｐ２に連続するものを形成するための凹曲面部６（、6a…）又は８（、8a…）を有する方に、型締め時に長い直管部位Ｐ２を押圧する押圧体15と、該押圧体15を進退させる手段16を設け、該進退手段16より押圧体15を、可動型２の往動に伴い、対向する固定型１又は可動型２に対する相対移動方向に徐々に進行するか型締め後に進行して、長寸な直管部位Ｐ２を押圧することで、スプリングバックの無い曲げパイプＰを成形可能にしている。
以下、具体的に説明する。  
【実施例１】
【００１８】
図１（ａ）、（ｂ）に示すパイプ深曲げの同時成形金型の実施例１は、図３に示す、３つの曲げ部Ｒ１、Ｒ２、Ｒ３を有する曲げ管部位Ｐ１と、一端側（図面上、左端側）の曲げ部Ｒ１に連続形成された長寸な直管部位Ｐ２とを有する曲げパイプＰをプレス成形するためのものである。
【００１９】
固定型１の対向面３は一端側（図面上、左端側）より傾斜面部11、凸曲面部５、凹曲面部６、凸曲面部5aが連続形成されたものとし、且つ２個の凸曲面部５、5aは、頂点が同レベルに揃えられ、このレベルラインから突出しない様に対向面３を形成し、且つ前記レベルラインは可動型２の移動方向に対し直角とするのが好ましい。
固定型１の一端部は可動型２の一側端面より突出し、この突出部位の対向位置に、後述する押圧体15を配置している。
【００２０】
可動型２の対向面４は一端側（図面上、左端側）より短い傾斜面部13、凹曲面部８、凸曲面部９、凹曲面部8aが連続形成され、且つ対向面４における傾斜面部13より外側部位の幅狭な水平面部17と凸曲面部９の頂点が同レベルに揃えられたものとし、このレベルラインから突出しない様に対向面４を形成し、且つ前記レベルラインは可動型２の移動方向に対し直角とするのが好ましい。
【００２１】
進退手段16は、可動型２の一端側（図面上、左端側）に設けられ、可動型２の正面に軸着した揺動板19と、該揺動板19の基端部に一体形成された、固定型１側へ突出する操作板21とを有し、揺動板19の可動型２の一側部より突出状態の先端部に押圧体15を固設し、操作板21の先端面を、固定型１に設けたストッパ22への当接部23とし、該当接部23は可動型２の外側より内側方向且つ固定型１側への傾斜面としている。
又、押圧体15は、待機状態において可動型２の移動方向且つ外側に傾斜した状態で揺動板19に固設され、型締め時に可動型２の進行方向に対し平行となる様に、揺動板19、操作板21及びストッパ22の形状及び位置が設定されている。
【００２２】
尚、図面上、揺動板19と操作板21は１枚の板材であるが、かかる形態に限定せず、揺動板19と操作板21で概ねへの字形を呈していれば複合材であっても良く、操作板21がストッパ22への当接に伴い可動型２の移動方向とは反対側に揺動することで、揺動板19が可動型２の移動方向側に揺動すれば良い。
【００２３】
押圧体15の先端面に、型締め状態において固定型１の傾斜面部11と平行で、可動型２の一端側の凹曲面部８の接線上に位置する押圧面24を形成し、該押圧面24にパイプ溝25を形成している。
又、押圧体15の先端部を、可動型２側への突出部位26を有する鉤形状に形成し、且つこの先端部に上記押圧面24を形成し、この逆三角形状の突出部位26が、型締め状態において可動型２の水平面部17と固定型１の傾斜面部11との間に入り込む様にしている。
【００２４】
尚、可動型２における一側端面と水平面部17との間の角部に面取り部27を形成して、押圧体15の押圧面24をなるべく傾斜面部13に近接させることを可能にしている。
【００２５】
そして、可動型２の往動中に可動型２の対向面４における水平面部17と凸曲面部９が、固定型１にセット状態のパイプ基材Ｗに同時に当接して曲げ加工が開始し、操作板21の当接部23がストッパ22に当接した時点から、揺動板19が揺動を開始し、傾斜状態の押圧体15が徐々に起立する様に可動型２に近接方向且つ可動型２の進行方向に進行して、型締め時、即ち可動型２が停止した時点で可動型２の進行方向に対し平行になり、この押圧体15により加工された曲げパイプＰの直管部位Ｐ２が、固定型１の傾斜面部11に押さえ付けられる。
【００２６】
進退手段16は、待機位置に自動復帰可能に配設され、具体的には、引張バネ28の一端を可動型２に、他端を揺動板19の中間部に固定し、可動型２に揺動板19のストッパ29を設け、該ストッパ29は待機状態における揺動板19が可動型２の進行方向に対し直角か、或いは若干固定型１側へ傾斜状態となる様に配置され、且つ待機状態における引張バネ28を若干伸長状態として、揺動板19をストッパ29に押圧状態としている。
【実施例２】
【００２７】
図４に示すパイプ深曲げの同時成形金型の実施例２は、図５に示す、３つの曲げ部Ｒ１、Ｒ２、Ｒ３を有する曲げ管部位Ｐ１と、両端側（図面上、左端側）の曲げ部Ｒ１、Ｒ３に連続形成された長寸な直管部位Ｐ２、Ｐ２とを有する曲げパイプＰをプレス成形するためのものである。
【００２８】
固定型１の対向面３は一端側（図面上、左端側）より長い傾斜面部11、凸曲面部５、凹曲面部６、凸曲面部5a、長い傾斜面部11が連続形成されたものとし、且つ２個の凸曲面部５、5aは、頂点が同レベルに揃えられ、このレベルラインから突出しない様に対向面３を形成し、固定型１の両端部は可動型２の一側端面より突出している。
又、固定型１の両端部に、上記実施例１と同様のストッパ22、22を設けている。
【００２９】
可動型２の対向面４は一端側（図面上、左端側）より短い傾斜面部13、凹曲面部８、凸曲面部９、凹曲面部8a、短い傾斜面部13が連続形成され、且つ対向面４における傾斜面部13、13より外側部位の幅狭な水平面部17、17と凸曲面部９の頂点が同レベルに揃えられたものとし、このレベルラインから突出しない様に対向面４を形成し、この可動型２の両端部に、上記実施例１と同様の押圧体15、15及び進退手段16、16を設けている。
又、可動型２における両側端面と水平面部17、17との間の角部に面取り部27、27を形成している。
【００３０】
そして、可動型２の往動中に可動型２の対向面４における水平面部17、17と凸曲面部９が、固定型１にセット状態のパイプ基材Ｗに同時に当接して曲げ加工が開始し、進退手段16、16の操作板21、21の当接部23、23が、固定型１のストッパ22、22に当接した時点から、揺動板19、19が揺動を開始し、傾斜状態の押圧体15、15が徐々に起立する様に可動型２に近接方向且つ可動型２の進行方向に進行して、型締め時、即ち可動型２が停止した時点で可動型２の進行方向に対し平行になり、この押圧体15、15により加工された曲げパイプＰの直管部位Ｐ２、Ｐ２が、固定型１の長い傾斜面部11、11に押さえ付けられる。
【実施例３】
【００３１】
図６に示すパイプ深曲げの同時成形金型の実施例３は、図７に示す、２つの曲げ部Ｒ１、Ｒ２を有する曲げ管部位Ｐ１と、両端側（図面上、左端側）の曲げ部Ｒ１、Ｒ２に連続形成された長寸な直管部位Ｐ２、Ｐ２とを有する曲げパイプＰをプレス成形するためのものである。
【００３２】
固定型１の対向面３は一端側（図面上、左端側）より長い傾斜面部11、凸曲面部５、凹曲面部６、短い傾斜面部14が連続形成されたものとし、且つ対向面３における傾斜面部14より外側部位の幅狭な水平面部18と凸曲面部５の頂点が同レベルに揃えられたものとし、このレベルラインから突出しない様に対向面３を形成し、固定型１の両端部は可動型２の一側端面より突出している。
又、固定型１の一端部に上記実施例１と同様のストッパ22を、他端部に上記実施例１と同様の押圧体15及び進退手段16を設けている。
又、固定型１における他側端面と水平面部18との間の角部に面取り部30を形成している。
【００３３】
可動型２の対向面４は一端側（図面上、左端側）より短い傾斜面部13、凹曲面部８、凸曲面部９、長い傾斜面部12が連続形成され、且つ対向面４における傾斜面部13より外側部位の幅狭な水平面部17と凸曲面部９の頂点が同レベルに揃えられたものとし、このレベルラインから突出しない様に対向面４を形成し、この可動型２の一端部に上記実施例１と同様の押圧体15及び進退手段16を、他端部に上記実施例１と同様のストッパ22を設けている。
又、可動型２における一側端面と水平面部17との間の角部に面取り部27を形成している。
【００３４】
そして、可動型２の往動中に可動型２の往動中に可動型２の対向面４における水平面部17と凸曲面部９が、固定型１にセット状態のパイプ基材Ｗに同時に当接して曲げ加工が開始し、進退手段16、16の操作板21、21の当接部23、23が、対応するストッパ22、22に当接した時点から、揺動板19、19が揺動を開始し、傾斜状態の押圧体15、15が徐々に起立する様に固定型１及び可動型２に近接方向且つ対向する固定型１又は可動型２の方向に進行して、型締め時、即ち可動型２が停止した時点で可動型２の進行方向に対し平行になり、この押圧体15、15により加工された曲げパイプＰの直管部位Ｐ２、Ｐ２が、固定型１及び可動型２の長い傾斜面部11、12に押さえ付けられる。
【実施例４】
【００３５】
図８（ａ）、（ｂ）に示すパイプ深曲げの同時成形金型の実施例４は、上記実施例１と同様の固定型１及び可動型２を有するが、押圧体15及び該押圧体15の進退手段16が異なっている。
具体的には、可動型２の一端面（図面上、左側の端面）に押圧体15及び進退手段16を配置し、進退手段16はシリンダーでそのロッドの先端に押圧体15を装着して、該押圧体15をを直線的に進退自在とし、押圧体15の先端に突出部位26はなく、単に押圧面24及びパイプ溝25が形成されている。
【００３６】
そして、可動型２の往動中に可動型２の対向面４における水平面部17と凸曲面部９が、固定型１にセット状態のパイプ基材Ｗに同時に当接して曲げ加工が開始し、押圧体15が徐々に可動型２の進行方向に進行して、型締め時、即ち可動型２が停止した時点で、加工された曲げパイプＰの直管部位Ｐ２が、固定型１の傾斜面部11に押さえ付けられる。
【符号の説明】
【００３７】
１            固定型
２            可動型
３            対向面
４            対向面
５、5a…      凸曲面部
６、6a…      凹曲面部
８、8a…      凹曲面部
９、9a…      凸曲面部
11            長い傾斜面部
12            長い傾斜面部
15            押圧体
16            進退手段
19            揺動板
21            操作板
22            ストッパ
23            当接部
Ｐ            曲げパイプ
Ｐ１          曲げ管部位
Ｐ２          直管部位
Ｒ１、Ｒ２…  曲げ部
【図１（ａ）】
0005491456.tif 000002
【図１（ｂ）】
0005491456.tif 000003
【図２】
0005491456.tif 000004
【図３】
0005491456.tif 000005
【図４】
0005491456.tif 000006
【図５】
0005491456.tif 000007
【図６】
0005491456.tif 000008
【図７】
0005491456.tif 000009
【図８（ａ）】
0005491456.tif 000010
【図８（ｂ）】
0005491456.tif 000011